(57)【特許請求の範囲】
【請求項１】
舞台の奥側に立設される正面反射板と、舞台の上方に斜めに展設される天井反射板とを有してなる音響反射板装置において、舞台の奥壁に基端が枢支されて先端側が上下方向に揺動可能とされる支持ブームを有してなる一方で、この支持ブームの先端に天井反射板の下り側端となる基端を枢着させると共に、支持ブームの先端近傍に正面反射板の上端を吊持手段の介在下に吊持してなり、支持ブームの起立時に正面反射板を舞台の奥壁に副わせると共にこの正面反射板に天井反射板を副わせる態様で格納状態とする一方で、吊持手段が剛体からなる平板状に形成されると共に正面反射板の上端を枢着させる下端に支持ブームの起立作動時に支持ブームに配設のストッパ部に当接するストッパを有してなることを特徴とする音響反射板装置
【請求項２】
舞台の奥壁側に一端が連結された牽引部材の中間部が正面反射板の上端に保持されたプーリーと舞台の奥壁に保持されたプーリーとに巻装されると共に、上記の牽引部材の他端が舞台の上方に配在した巻取り装置に連繋されてなる請求項１に記載の音響反射板装置
【請求項３】
上端が舞台の上方に配在の巻取り装置に連繋された牽引部材の下端が吊り具の配在下に天井反射板の上り側となる先端側に連結されてなり、吊り具が二股状あるいは三角板状に形成されながら二箇所となる下端を天井反射板に連結すると共に一箇所となる上端を牽引部材の下端に連結してなる請求項１に記載の音響反射板装置
【請求項４】
支持ブームの先端寄りに一端が連結されると共に他端が舞台の奥壁側に連結される引張り手段によって支持ブームの倒伏状態が維持されてなる請求項１に記載の音響反射板装置
【発明の詳細な説明】
【０００１】
【発明の属する技術分野】
この発明は、音響反射板装置に関し、特に、劇場などの舞台に設けられる可動式の音響反射板装置の改良に関する。
【０００２】
【従来技術とその課題】
たとえば、劇場などの舞台に設けられる可動式の音響反射板装置としては、従来から、種々の提案があるが、その中で、音響反射板装置が正面反射板および天井反射板に、さらには、側面反射板に分割されていて、利用時には各反射板を寄せ集めるようにし、不使用時には各反射板をそれぞれ舞台の上方に吊り上げて格納する提案がある。
【０００３】
そして、この各反射板を吊り上げて格納する提案によれば、各反射板を舞台下方の空間に格納する提案に比較して、いわゆる床下工事が不要になる分有利と言えるが、反面、舞台上方の空間の効果的な利用を妨げる危惧がある。
【０００４】
すなわち、一般に、舞台の上方は、バトンや吊り物と称される照明などの各種の機器類を臨在させるための空間とされており、特に、近年では、移動式の点吊り装置が配在されることがある。
【０００５】
このことを勘案すると、各反射板が大型化されている場合には、これを舞台上方の空間に格納するとしてもその実現が困難になることが予想されるし、それだけでなく、場合によっては、この空間に元来臨在されるべき吊り物を省略させることになる不具合がある。
【０００６】
この発明は、前記した事情を鑑みて創案されたものであって、その目的とするところは、所望の音響効果が得られるのはもちろんのこと、音響反射板装置を構成する正面反射板および天井反射板を格納するについて、いたずらな格納場所の占拠の危惧をなくしてその利用が便利となり、その汎用性の向上を期待するのに最適となる音響反射板装置を提供することである。
【０００７】
【課題を解決するための手段】
上記した目的を達成するために、この発明の構成を、基本的には、舞台の奥側に立設される正面反射板と、舞台の上方に斜めに展設される天井反射板とを有してなる音響反射板装置において、舞台の奥壁に基端が枢支されて先端側が上下方向に揺動可能とされる支持ブームを有してなる一方で、この支持ブームの先端に天井反射板の下り側端となる基端を枢着させると共に、支持ブームの先端近傍に正面反射板の上端を吊持手段の介在下に吊持してなり、支持ブームの起立作動時に正面反射板を舞台の奥壁に副わせると共にこの正面反射板に天井反射板を副わせる態様で格納状態とする一方で、吊持手段が剛体からなる平板状に形成されると共に正面反射板の上端を枢着させる下端に支持ブームの起立時に支持ブームに配設のストッパ部に当接するストッパを有してなるとする。
【０００８】
そして、上記した構成において、より具体的には、舞台の奥壁側に一端が連結された牽引部材の中間部が正面反射板の上端に保持されたプーリーと舞台の奥壁に保持されたプーリーとに巻装されると共に、上記の牽引部材の他端が舞台の上方に配在した巻取り装置に連繋されてなるとする。
【０００９】
また、上端が舞台の上方に配在の巻取り装置に連繋された牽引部材の下端が吊り具の配在下に天井反射板の上り側となる先端側に連結されてなり、吊り具が二股状あるいは三角板状に形成されながら二箇所となる下端を天井反射板に連結すると共に一箇所となる上端を牽引部材の下端に連結してなるとする。
【００１０】
さらに、支持ブームの先端寄りに一端が連結されると共に他端が舞台の奥壁側に連結される引張り手段によって支持ブームの倒伏状態が維持されてなるとする。
【００１１】
ちなみに、側面反射板は、たとえば、舞台の間口方向となる左右の奥の格納場所から所定位置に引き出され、あるいは、舞台の上方の格納場所から所定位置に引き降ろされるとする。
【００１２】
【発明の実施の形態】
以下に、図示した実施形態に基いて、この発明を説明するが、この発明による音響反射板装置は、図１に示すように、たとえば、劇場における舞台Ｓの図中で右側となる奥側に立設される正面反射板１と、舞台Ｓの上方に斜めに展設される天井反射板２とを有してなる。
【００１３】
ちなみに、側面反射板は、図示しないが、たとえば、舞台Ｓの間口方向となる左右の奥の格納場所から所定位置に引き出されるとし、あるいは、舞台Ｓの上方の格納場所から所定位置に引き降ろされるとする。
【００１４】
なお、各反射板１，２の構成については、所定の音響効果を得られる限りにおいて任意の構成を採用でき、たとえば、軽量化を可能にするためにフレーム構造に形成された本体に音響効果を得易い薄鋼板やシートを展張するなどして形成される。
【００１５】
一方、この発明による音響反射板装置にあっては、舞台Ｓの奥壁Ｓ１に基端が枢支されて先端側が上下方向に揺動可能とされる支持ブーム３を有してなり、この支持ブーム３の先端に天井反射板２の下り側端となる基端を枢着させると共に、この支持ブーム３の先端近傍に正面反射板１の上端を吊持手段４の介在下に吊持するとしている。
【００１６】
このとき、舞台Ｓの奥壁Ｓ１には、図２に示すように、支持ブーム３の基端を枢着させるブラケット３１が、特に、図示するところでは、奥壁Ｓ１に突設されている梁Ｂに保持されてなるとしている。
【００１７】
また、支持ブーム３は、結果的に、先端に天井反射板２を枢着させると共に先端近傍に吊持手段４を吊持するものであれば足りるから、所定の自己支持性を有するのに十分となる機械的強度を有する限りにおいて、任意の形状に形成されて良い。
【００１８】
そして、この支持ブーム３は、図示するところでは、基端から先端近傍までがストレートに形成され、先端近傍から先端にかけて僅かに屈曲されて先端にフック状のブラケット３２を有し、このブラケット３２に天井反射板２の基端を枢着させるとしている。
【００１９】
これによって、図２中に仮想線図で示すように、支持ブーム３を起立させて、天井反射板２を吊り下げるようにするときに、この天井反射板２を無理なく垂直状態に維持することが容易となる。
【００２０】
また、この支持ブーム３は、先端近傍に正面反射板１の上端を吊持手段４の介在下に吊持しており、このとき、この吊持手段４は、剛体からなる平板状に形成されていて、使用時に正面反射板１を垂直状態に起立させるときに、さらには、支持ブーム３の先端を昇降させて正面反射板１を吊持状態にして移動させるときに、正面反射板１を舞台Ｓの間口方向となる横方向にいたずらに揺動させないようにしている。
【００２１】
そして、この吊持手段４は、図２に示すように、正面反射板１の上端を枢着させる下端に支持ブーム３の起立時に支持ブーム３における屈曲部分に配設のストッパ部３３に当接するストッパ４１を有するとしている。
【００２２】
それゆえ、この吊持手段４によれば、支持ブーム３の起立時に正面反射板１を舞台Ｓの奥壁Ｓ１に副わせる態様で格納状態とし得ることになる。
【００２３】
以上からすれば、支持ブーム３の先端を昇降させて正面反射板１を吊持状態で移動させるとき、図示しないが、正面反射板１の下端に連繋した棒状体などからなる揺れ止め部材を舞台Ｓの奥壁に連繋することでも、正面反射板１を揺動させない状態にして吊持し移動し得ることになる。
【００２４】
しかし、この場合には、舞台Ｓ上に言わば邪魔な物が横たわった状況が現出されるので、正面反射板１の背面側で機器を移動させたり、人が往来するときの妨げになる点では、好ましい方策とは言えない。
【００２５】
それゆえ、上記した支持ブーム３を有する音響反射板装置にあっては、支持ブーム３の起立で正面反射板１を舞台Ｓの奥壁Ｓ１に副わせるように格納することが可能になると共に、このときに、天井反射板２についても、これを正面反射板１に副わせる態様にして舞台Ｓの奥側に格納することが可能になる。
【００２６】
その結果、この音響反射板装置にあっては、正面反射板１と天井反射板２を舞台Ｓの上方に格納しないから、この舞台Ｓの上方をバトンや吊り物と称される照明などの各種の機器類を臨在させる空間として有効利用し得ることになる。
【００２７】
ところで、上記した支持ブーム３は、図示するところにあって、その先端が以下の方策で昇降されるとしている。
【００２８】
すなわち、起伏機構６で支持ブーム３の先端を昇降させるとするもので、この起伏機構６は、図２に示すように、舞台Ｓの奥壁Ｓ１側に一端が連結された牽引部材６１の中間部が正面反射板１の上端に保持されたプーリー６２と舞台Ｓの奥壁Ｓ１に保持されたプーリー６３とに巻装されると共に、上記の牽引部材６１の他端が舞台Ｓの上方に配在した巻取り装置（図示せず）に連繋されてなるとしている。
【００２９】
このとき、舞台Ｓの奥壁Ｓ１には、図２に示すように、プーリー６３を枢支するブラケット６４が、特に、図示するところでは、前記した下方のブラケット３１と同様に、奥壁Ｓ１に突設されている梁Ｂに保持されてなるとしている。
【００３０】
ちなみに、牽引部材６１の一端は、舞台Ｓの奥壁Ｓ１側に連結されるとしているが、図示するところでは、上記のブラケット６４に連結されるとしている。
【００３１】
それゆえ、この起伏機構６によれば、牽引部材６１が二つのプーリー６２，６３に巻装されてなるから、この牽引部材６１の他端を連繋する舞台Ｓの上方に配在する巻取り装置が大きい駆動力を有しない場合でも、比較的容易に支持ブーム３を起伏させる得ることになる。
【００３２】
なお、図示するところにあって、起伏機構６における牽引部材６１の巻き上げ時には、正面反射板１の上端が支持ブーム３の屈曲部分に引き寄せられるようになる。
【００３３】
それゆえ、正面反射板１の上端に位置決められている吊持手段４におけるストッパ４１が上記の屈曲部分に配在されているストッパ部３３に当接されることになり、したがって、牽引部材６１の巻き上げが継続されることで支持ブーム３が起立することになる。
【００３４】
一方、上記したように、その基端が支持ブーム３の先端に枢着された天井反射板２にあっては、図１に示すように、上り側となる先端側に牽引部材７が吊り具８の配在下に連結されている。
【００３５】
このとき、牽引部材７は、上端が舞台Ｓの上方に配在の巻取り装置（図示せず）に連繋されていて、下端が上記の吊り具８に連結されるとしており、吊り具８は、二股状に形成されながら二箇所となる下端を天井反射板２に連結すると共に、一箇所となる上端を牽引部材７の下端に連結している。
【００３６】
ちなみに、吊り具８は、これが二股状に形成されるとき、詳しくは図示しないが、一方を剛体にし、他方を可撓体にするのが良い。
【００３７】
それゆえ、この吊り具８を介して天井反射板２の先端側を昇降させるようにする場合には、牽引部材７からの牽引力を天井反射板２の先端側に効果的に伝播し得ることになる。
【００３８】
その結果、基端を上にして先端を下にする折畳状態にある天井反射板２の先端を持ち上げるようにするとき、効果的にその揺動を実現し得ることになる。
【００３９】
以上からすれば、上記の吊り具８は、図示する二股状に形成されることに代えて、図示しないが、剛体からなる三角板状に形成されてなるとしても良い。
【００４０】
この発明による音響反射板装置が上記したように形成されていることで、初期の目的を達成し得ることになるが、図示する実施形態では、さらに、以下のような配慮がなされるとしている。
【００４１】
すなわち、支持ブーム３と固定側たる舞台Ｓの奥壁Ｓ１側との間には、引張り手段９が配在されてなるとするもので、この引張り手段９は、棒状体９１と可撓体９２とを有してなる。
【００４２】
そして、棒状体９１の一端が支持ブーム３の先端側に連結されると共にこの棒状体９１の他端に可撓体９２の一端を連結し、この可撓体９２の他端を舞台Ｓの奥壁Ｓ１側に、すなわち、奥壁Ｓ１に保持されているブラケット６４に連結されている。
【００４３】
それゆえ、この引張り手段９によれば、その全体長さが不変をされている限りにおいて、ほぼ水平状態になる支持ブーム３を所定の状態たる倒伏状態に維持し得ることになる。
【００４４】
【発明の効果】
以上のように、請求項１の発明にあっては、支持ブームの起立時に正面反射板を舞台の奥壁に副わせると共に、この正面反射板に天井反射板を副わせる態様にして、言わば舞台の奥側に立てた状態にして格納することが可能になり、舞台の上方をバトンや吊り物たる照明などの各種の機器類を配在する空間として有効利用し得ることになる。
【００４５】
そして、請求項２の発明によれば、支持ブームを起伏させるために牽引部材に大きな牽引力を作用させなくて済み、牽引部材の巻取り装置の大型化を回避できるだけでなく、特に、支持ブームを容易に完全な起立状態にし得ることになる。
【００４６】
また、請求項３の発明によれば、天井反射板の基端を回転中心にしてするこの天井反射板の折り畳み動作が円滑に実現されることになる。
【００４７】
さらに、請求項４の発明によれば、ほぼ水平状態になる支持ブームを所定の状態たる倒伏状態に維持し得て、この支持ブームに関与する倒伏機構や他の牽引における負担荷重を小さく設定し得ることになる。
【００４８】
その結果、この発明によれば、所望の音響効果が得られるのはもちろんのこと、音響反射板装置を構成する正面反射板および天井反射板を格納するについて、いたずらな格納場所の占拠の危惧をなくしてその利用が便利となり、その汎用性の向上を期待するのに最適となる。
【図面の簡単な説明】
【図１】この発明による音響反射板装置を使用状態で示す概略縦断面図である。
【図２】図１の音響反射板装置における要部を拡大して示す概略縦断面図である。
【符号の説明】
１  正面反射板
２  天井反射板
３  支持ブーム
４  吊持手段
６  起伏機構
７，６１  牽引部材
８  吊り具
３１，３２，６４  ブラケット
３３  ストッパ部
４１  ストッパ
６２，６３  プーリー
９１  棒状体
９２  可撓体
Ｂ  梁
Ｓ  舞台
Ｓ１  奥壁
【図１】
0004644395.tif 000002
【図２】
0004644395.tif 000003